(57)【要約】【課題】強度の低下を招かずに、様々な色彩や模様を有するルアーを提供すること。【解決手段】釣針保持金具２ａを介してルアーの右側体８に少なくとも１本の釣針４が取り付けられている。ルアーの右側体８が中空に形成され、ルアーの右側体８の内側面に沿って鱗模様の外形線に対応するように溝１０ａを形成することによってルアー本体の内側面に鱗模様１０を有する。【選択図】図２
0003176988.tif 000002
【実用新案登録請求の範囲】
【請求項１】
釣針保持金具を介して本体に少なくとも１本の釣針が取り付けられ、前記本体が中空に形成されたルアーにおいて、前記本体の内側面に沿って鱗模様の外形線に対応するように溝を形成することによって本体内側面に鱗模様を有することを特徴とするルアー。
【請求項２】
釣針保持金具を介して本体に少なくとも１本の釣針が取り付けられ、前記本体が中空に形成されたルアーにおいて、前記本体の内側面に沿って鱗模様の外形線に対応するように溝を形成することによって本体内側面に鱗模様を有するとともに、ルアー本体外側面に色彩を施してなることを特徴とするルアー。
【考案の詳細な説明】
【技術分野】
【０００１】
この考案は、釣りの際に用いるルアー（疑似餌）に関するものであり、糸の張力を利用して小魚のように泳がせることができ、水中の魚に振動（波動）を伝えることができる構造を備えたルアーに関する。
【背景技術】
【０００２】
周知のように、例えば、プラスチックを素材とするプラスチックルアーは、釣るべき魚の餌となるような小魚、エビ、昆虫およびこれらに類するものをプラスチック成型や軟質樹脂により外観疑似餌形態に具現化したものであり、小魚等の形態に似せたプラスチック成形品として供される。水中における視覚的効果や水を圧し動かす波動を利用することで、魚を刺激してヒットするようにしたものである。
【０００３】
ところで、ルアーは、その表面に施された色彩や模様による視覚的効果や水中を移動することによって発生する振動波形の変化などの刺激に魚が反応し、魚がルアーをくわえようとする動作をしたとき、ルアーに付けられた釣針によって魚を捕捉しようとするものである。ルアーは、主として魚の視覚や触覚などの習性を刺激することにより、魚を捕らえようとする道具であるが、特に、視覚的効果の違いによっても釣果に差がでることがあると言われている。
【０００４】
この視覚的効果に差異をだすために、従来、ルアーの表面に各種色彩の塗料を塗ったり、鱗模様を形成するというような方法が行われている。色彩の違いはユーザーの趣味的感情によるところもあるが、その魚の習性あるいは水質等の自然条件によって、短波長の寒色系の色彩（例えば、青色、緑色）が有効であったり、長波長の暖色系の色彩（例えば、赤色、橙色）が有効となる場合があると言われている。また、鱗模様の有無に関してはユーザーの好みもあるが、鱗模様がルアーの外表面に施された場合、太陽光が鱗模様で反射されて、水中でのルアーの動きによって様々な反射光が発生する。その反射光が魚の視覚を刺激することは十分に考えられることであり、釣果に影響を与えると思われる。
【０００５】
以上のように、様々なユーザーの好みに応えるために、あるいは、各種魚類の習性に適応することができるように、ルアーには多種多様な色彩や鱗模様を施したもの（視覚効果のバリエーション）が存在する。これら色彩や鱗模様はルアーの外側表面に施されるので、同一形状のルアーにおいて、《鱗有り》と《鱗無し》の２つのタイプを揃えるためには、その鱗模様に対応する形状を有する金型と、そのような鱗模様形状を有しない金型との２種類の金型を備えている必要がある。しかし、金型は非常に高価であり、様々なルアー形状に対応して２種類の金型を保持することは経済的な負担が大きい。
【０００６】
例えば、この種のルアーに関する先行技術として、特許文献１には、釣針保持具を介して本体に少なくとも１本の釣針が取り付けられ前記本体が中空に形成されたルアーにおいて、前記本体の内側面に、該本体の厚さの範囲内において、該本体の厚さを減らすように複数の肉抜き部を配列して形成し、隣り合う前記肉抜き分の境界をリブとして形成したことを特徴とするルアーが開示されている。
【先行技術文献】
【特許文献】
【０００７】
【特許文献１】特許第４０６５２０４号明細書
【考案の概要】
【考案が解決しようとする課題】
【０００８】
しかし、特許文献１に開示されたルアーは、本体の厚さを減らすように複数の肉抜き部を形成することによって十分な強度を確保することができないことがあり、釣り場においてキャスティングを誤った場合、周囲の岩場や埠頭などにルアーがぶつかって、ルアーに亀裂が入って割れることがある。
【０００９】
本考案は従来の技術の有するこのような問題点に鑑みてなされたものであって、その目的は、強度の低下を招かずに、様々な色彩や模様を有するルアーを提供することにある。
【課題を解決するための手段】
【００１０】
上記課題を解決するために、第一の考案のルアーは、釣針保持金具を介して本体に少なくとも１本の釣針が取り付けられ、前記本体が中空に形成されたルアーにおいて、前記本体の内側面に沿って鱗模様の外形線に対応するように溝を形成することによって本体内側面に鱗模様を有することを特徴としている。
また、第二の考案のルアーは、釣針保持金具を介して本体に少なくとも１本の釣針が取り付けられ、前記本体が中空に形成されたルアーにおいて、前記本体の内側面に沿って鱗模様の外形線に対応するように溝を形成することによって本体内側面に鱗模様を有するとともに、ルアー本体外側面に色彩を施してなることを特徴としている。
【考案の効果】
【００１１】
本考案によれば、ルアー本体内側面に鱗模様を有することで、従来より用いられているルアーとは異なる視覚効果を魚に与えることができるので、釣果の向上が期待できる。
また、ルアー本体内側面に鱗模様を有していても、ルアー本体外側面に色彩を施すことにより、内側の鱗模様を見えなくすることができる。すなわち、鱗模様に対応する形状を有する金型で成形したルアーの外側面に適切な色彩を施すことにより、鱗模様無しのルアーを提供することができる。従って、鱗模様有りのルアーと鱗模様無しのルアーとを揃えるために、その鱗模様に対応する形状を有する金型と鱗模様形状を有しない金型とを備える必要はなく、経済的である。
さらに、ルアー本体内側面に沿って鱗模様の外形線に対応するように溝を形成することによってルアーを軽量化できるので、ルアーの水中でのスイム時の動きがきびきびとしたきれのある動きになって本当の小魚のように見えるため、魚が食い付きやすく、よりよい釣果が期待できる。
【図面の簡単な説明】
【００１２】
【図１】図１は、鱗模様無しルアーの一例を示す側面図である。
【図２】図２（ａ）は本考案のルアーの右側体の一例を示す平面図、図２（ｂ）は溝と鱗模様を示す、図２（ａ）の一部を拡大した図である。
【図３】図３（ａ）は本考案のルアーの右側体の別の例を示す平面図、図３（ｂ）は溝と鱗模様を示す、図３（ａ）の一部を拡大した図である。
【図４】図４（ａ）は本考案のルアーの右側体のさらに別の例を示す平面図、図４（ｂ）は溝と鱗模様を示す、図４（ａ）の一部を拡大した図である。
【考案を実施するための形態】
【００１３】
以下に、本考案の実施が可能な形態について説明する。当然のことながら、本考案の範囲を逸脱することなく、他の実施形態を利用することもできる。
図１において、ルアー本体１には、釣針保持金具２、３を介して釣針４、５が取り付けられ、釣糸保持金具６に釣糸７が取り付けられている。このルアーは、後記する図２（ａ）ないし図４（ａ）に示す、内側面に鱗模様の有るルアーの外側面に透過性の無い色彩を施すことによって、鱗模様を見えないようにして鱗模様の無いルアーを表現した一例を示すものである。
【００１４】
図２（ａ）は、透明のアクリロニトリル・ブタジエン・スチレン樹脂（ＡＢＳ樹脂）を成形してなる本考案のルアーの右側体８を示す平面図である。左側体（図示せず）は右側体８とほぼ鏡面対称の形状を備えており、左側体と右側体８とを合わせて、縁部９に接着剤等の塗布もしくは接着面の溶着等の手法により接着一体化される。右側体８の内部（左側体の内部も同じである）は中空であって、内側面に沿って鱗模様の外形線に対応するように溝１０ａを形成することによって内側面に鱗模様１０を有している（図２（ｂ）参照）。右側体８はＡＢＳ樹脂からなるので、鱗模様１０はルアーの外側から目視することができる。このルアーは独特の動きを起こさせるための重心移動機構を備えている。１１、１２はウエイトボールであり、ウエイトボール１１は仕切壁１３によって囲まれた範囲内を移動することが可能であり、ウエイトボール１２は仕切壁１３と縁部９によって囲まれた範囲内を移動することが可能である。ルアー本体１の後端部側（釣針保持リング３ａのある側）を前方へ向けてキャスティングすると、ウエイトボール１１は慣性によって前端部から後端部側へ移動し、着水するとウエイトボール１１は前端部側へ戻って磁石１４により保持される。２ａ、３ａは釣針保持金具、６ａは釣糸保持金具である。  
ルアー本体を構成する素材は内側面の鱗模様を外側から目視できるものであればよく、ＡＢＳ樹脂に代えて、例えば、ポリカーボネート樹脂を使用することもできる。要は、内側面の鱗模様を外側から目視できる樹脂であればルアー本体の素材として採用することができる。  
鱗模様には様々なものが考えられるので、本考案の技術的範囲に含まれる鱗模様は、鱗模様１０や後記する鱗模様１７および鱗模様２８に限定されるものでないことは当然である。
【００１５】
図３（ａ）は、ＡＢＳ樹脂を成形してなる本考案のルアーの右側体１５を示す平面図である。左側体（図示せず）は右側体１５と鏡面対称の形状を備えており、左側体と右側体１５とを合わせて、縁部１６に接着剤等を塗布して接着一体化される。右側体１５の内部（左側体の内部も同じである）は中空であって、内側面に沿って鱗模様の外形線に対応するように溝１７ａを形成することによって内側面に鱗模様１７を有している（図３（ｂ）参照）。右側体１５はＡＢＳ樹脂からなるので、鱗模様１７はルアーの外側から目視することができる。図３（ａ）に示すルアーも図２（ａ）に示すルアーと同じように、独特の動きを起こさせるための重心移動機構を備えている。１８、１９，２０、２１はウエイトボールであり、ウエイトボール１８と１９は仕切壁２２、２３と縁部１６によって囲まれた範囲内を移動することが可能であり、ウエイトボール２０と２１は仕切壁２４、２５と縁部１６によって囲まれた範囲内を移動することが可能である。２ｂ、２ｃ、３ｂは釣針保持金具、６ｂは釣糸保持金具、４ａ、４ｂ、５ａは釣針である。
【００１６】
図４（ａ）は、ＡＢＳ樹脂を成形してなる本考案のルアーの右側体２６を示す平面図である。右側体２６は部分２６ａと２６ｂの２部分から構成されている。左側体（図示せず）は右側体２６と鏡面対称の形状を備えており、左側体と右側体２６とを合わせて、縁部２７ａと２７ｂに接着剤等を塗布して接着一体化される。右側体２６の内部（左側体の内部も同じである）は中空であって、内側面に沿って鱗模様の外形線に対応するように溝２８ａを形成することによって、内側面に鱗模様２８を有している（図４（ｂ）参照）。右側体２６はＡＢＳ樹脂からなるので、鱗模様２８はルアーの外側から目視することができる。図４（ａ）に示すルアーも図２（ａ）や図３（ａ）に示すルアーと同じように、独特の動きを起こさせるための重心移動機構を備えている。２９、３０はウエイトボールであり、ウエイトボール２９と３０は仕切壁３１と縁部２７ｂによって囲まれた範囲内を移動することが可能である。２ｄ、３ｃは釣針保持金具、６ｃは釣糸保持金具である。
【符号の説明】
【００１７】
１  ルアー本体
２、２ａ、２ｂ、２ｃ、２ｄ  釣針保持金具
３、３ａ、３ｂ、３ｃ  釣針保持金具
４、４ａ、４ｂ  釣針
５、５ａ  釣針
６、６ａ、６ｂ、６ｃ  釣糸保持金具
７  釣糸
８  ルアーの右側体
９  縁部
１０  鱗模様
１０ａ  溝
１１  ウエイトボール
１２  ウエイトボール
１３  仕切壁
１４  磁石
１５  ルアーの右側体
１６  縁部
１７  鱗模様
１７ａ  溝
１８  ウエイトボール
１９  ウエイトボール
２０  ウエイトボール
２１  ウエイトボール
２２  仕切壁
２３  仕切壁
２４  仕切壁
２５  仕切壁
２６  ルアーの右側体
２６ａ、２６ｂ  ルアーの構成部分
２７ａ、２７ｂ  縁部
２８  鱗模様
２８ａ  溝
２９  ウエイトボール
３０  ウエイトボール
３１  仕切壁
【図１】
0003176988.tif 000003
【図２】
0003176988.tif 000004
【図３】
0003176988.tif 000005
【図４】
0003176988.tif 000006